(57)【要約】コースト走行中の回生トルクの制限に伴う車両減速度の大幅な低減を防止することができ、ドライバの違和感を防止することができるハイブリッド車両の制御方法を提供すること。アクセル解放操作によるコースト走行時、エンジンクラッチ（CL1）を解放すると共に、モータジェネレータ（MG）にて発生させるコースト回生トルクを目標回生トルクにする。所定の回生制限条件が成立したとき、回生トルク上限値をモータジェネレータ（MG）で発生可能な回生トルク最大値よりも小さい値に制限する。そして、回生トルク上限値の制限開始から、この回生トルク上限値が目標回生トルクに一致するまでの間に、エンジンクラッチ（CL1）に締結指令を出力する構成とした。
2018189891.tif 000002
【特許請求の範囲】
【請求項１】
モータジェネレータとエンジンとの双方の駆動力を駆動輪に伝達可能であると共に、前記エンジンを駆動輪から切り離して前記モータジェネレータのみの駆動力を駆動輪に伝達可能なハイブリッド車両の制御方法において、
アクセル解放操作によるコースト走行時、前記エンジンを前記駆動輪から切り離すと共に、前記モータジェネレータで発生するコースト回生トルクを目標回生トルクにし、
所定の回生制限条件が成立したとき、前記モータジェネレータのコースト回生トルクの上限値を、前記モータジェネレータにて発生可能な回生トルクの最大値よりも小さい値に制限し、
前記コースト回生トルクの上限値の制限を開始してから、該コースト回生トルクの上限値が前記目標回生トルクに一致するまでの間に、前記エンジンクラッチに締結指令を出力する
ことを特徴とするハイブリッド車両の制御方法。
【請求項２】
請求項１に記載されたハイブリッド車両の制御方法において、
前記コースト回生トルクの上限値の制限を開始してから、該コースト回生トルクの上限値が前記目標回生トルクの最大値に一致するまでの間に、前記エンジンクラッチに締結指令を出力する
ことを特徴とするハイブリッド車両の制御方法。
【請求項３】
請求項１又は請求項２に記載されたハイブリッド車両の制御方法において、
前記コースト回生トルクの上限値が制限されているとき、前記エンジンに対する燃料供給を禁止すると共に、燃料供給要求を許可しない
ことを特徴とするハイブリッド車両の制御方法。
【請求項４】
請求項１から請求項３のいずれか一項に記載されたハイブリッド車両の制御方法において、
前記エンジンクラッチに締結指令を出力するとき、前記エンジンへの入力回転数を所定の上限回転数以下にする
ことを特徴とするハイブリッド車両の制御方法。
【請求項５】
請求項１から請求項４のいずれか一項に記載されたハイブリッド車両の制御方法において、
前記エンジンクラッチの締結中にドライバの停車意図を検出したとき、前記エンジンクラッチの解放を許可する
ことを特徴とするハイブリッド車両の制御方法。
【請求項６】
エンジンと、モータジェネレータと、前記エンジンと駆動輪の間に配置されたエンジンクラッチと、を備えたハイブリッド車両の制御装置において、
アクセル解放操作によるコースト走行時、前記エンジンクラッチを解放して前記エンジンを前記駆動輪から切り離すクラッチ制御部と、
前記コースト走行時、前記モータジェネレータで発生するコースト回生トルクを目標回生トルクに制御するコースト回生制御部と、
所定の回生制限条件が成立したとき、前記モータジェネレータのコースト回生トルクの上限値を、前記モータジェネレータにて発生可能な回生トルクの最大値よりも小さい値に制限する回生制限部と、を備え、
前記クラッチ制御部は、前記コースト回生トルクの上限値の制限が開始されてから、該コースト回生トルクの上限値が前記目標回生トルクに一致するまでの間に、前記エンジンクラッチに締結指令を出力する
ことを特徴とするハイブリッド車両の制御装置。
【発明の詳細な説明】
【技術分野】
【０００１】
本開示は、ハイブリッド車両の制御方法及び制御装置に関するものである。
【背景技術】
【０００２】
従来、回生制限等によりモータジェネレータが発生する回生トルクのみでは、要求に応じた車両減速度を出力することができない場合、エンジンのフリクショントルクで車両減速度を補うハイブリッド車両の制御方法が知られている（例えば、特許文献１参照）。
【先行技術文献】
【特許文献】
【０００３】
【特許文献１】特開２０１２-２１８６９７号公報
【発明の概要】
【発明が解決しようとする課題】
【０００４】
しかしながら、回生トルクのみで必要な車両減速度を出力することができないと判断してからエンジンを駆動輪に接続し、エンジンフリクショントルクで車両減速度を補うと、車両減速度の補填が遅れる。そのため、回生制限による車両減速度の低減幅が大きくなり、いわゆるＧ段差が生じてドライバに違和感を与えるという問題が生じる。特に、アクセルペダルの操作量がほぼゼロの状態で走行するコースト走行時では、ドライバが車両減速度の変動を感じやすいため、減速度の低減幅を適切に抑制する必要がある。【０００５】
本開示は、上記問題に着目してなされたもので、コースト走行中の回生トルクの制限に伴う車両減速度の大幅な低減を防止することができるハイブリッド車両の制御方法及びハイブリッド車両の制御装置を提供することを目的とする。
【課題を解決するための手段】
【０００６】
上記目的を達成するため、アクセル解放操作によるコースト走行時、エンジンを駆動輪から切り離すと共に、モータジェネレータで発生するコースト回生トルクを目標回生トルクにする。
また、所定の回生制限条件が成立したとき、モータジェネレータのコースト回生トルクの上限値を、モータジェネレータにて発生可能な回生トルクの最大値よりも小さい値に制限する。
そして、コースト回生トルクの上限値の制限を開始してから、このコースト回生トルクの上限値が目標回生トルクに一致するまでの間に、エンジンクラッチに締結指令を出力する。
【発明の効果】
【０００７】
よって、本開示では、コースト走行中の回生トルクの制限に伴う車両減速度の大幅な低減を防止することができる。
【図面の簡単な説明】
【０００８】
【図１】実施例１のハイブリッド車両の制御方法及び制御装置を適用したＦＦハイブリッド車両を示す全体構成図である。
【図２】実施例１にて用いるモード遷移マップの一例を示す図である。
【図３】実施例１にて用いる変速スケジュールマップの一例を示す図である。
【図４】実施例１のコースト時クラッチ制御部の構成を示すブロック図である。
【図５】実施例１にて用いる必要減速度設定マップの一例を示す図である。
【図６】実施例１にて用いるエンジン回転数上限値設定マップの一例を示す図である。
【図７】実施例１にて実行されるクラッチ制御処理の流れを示すフローチャートである。
【図８】実施例１にて実行されるコースト時フューエルカット処理構成の流れを示すフローチャートである。
【図９Ａ】実施例１にてコースト走行時にモータ回生制限が生じたときの車速・アクセル開度・ブレーキ踏力・第１クラッチ指令・コースト回生トルク・回生トルク上限値・エンジンフリクショントルクの各特性を示すタイムチャートである。
【図９Ｂ】実施例１にてコースト走行時にモータ回生制限が生じたときのモータ回転数・エンジン回転数・車両減速度・燃料カットフラグ・燃料カット禁止フラグ・フューエルカット状態の各特性を示すタイムチャートである。
【発明を実施するための形態】
【０００９】
以下、本開示のハイブリッド車両の制御方法及び制御装置を実施するための形態を、図面に示す実施例１に基づいて説明する。
【００１０】
（実施例１）
まず、構成を説明する。
実施例１におけるハイブリッド車両の制御方法及び制御装置は、１モータ・２クラッチと呼ばれるパラレルハイブリッド駆動系を備えるＦＦハイブリッド車両に適用する。以下、実施例１の制御方法及び制御装置が適用されたＦＦハイブリッド車両の構成を、「駆動系の詳細構成」、「運転モードの詳細構成」、「制御系の詳細構成」、「コースト時クラッチ制御処理構成」、「コースト時フューエルカット処理構成」に分けて説明する。
【００１１】
［駆動系の詳細構成］
ＦＦハイブリッド車両の駆動系は、図１に示すように、エンジンEngと、第１クラッチCL1（エンジンクラッチ）と、モータジェネレータMGと、第２クラッチCL2と、無段変速機CVTと、ファイナルギヤFGと、左駆動輪LTと、右駆動輪RTと、を備えている。
【００１２】
エンジンEngは、スロットルアクチュエータによる吸入空気量とインジェクタによる燃料噴射量と、点火プラグによる点火時期の制御により、エンジントルクが指令値と一致するようにトルク制御される。また、エンジンEngは、燃焼運転状態ではなく、フューエルカット状態（燃料供給停止）で第１クラッチCL1を締結したクランキング運転状態とすると、ピストンとシリンダー内壁との摩擦摺動抵抗等によりエンジンフリクショントルクを発生する。
【００１３】
第１クラッチCL1は、エンジンEngとモータジェネレータMGとの間の位置に介装され、エンジンEngと左右駆動輪LT,RTの間に配置されたエンジンクラッチに相当する。この第１クラッチCL1としては、例えば、ノーマルオープンの乾式多板クラッチ等が用いられ、エンジンEng〜モータジェネレータMG間の締結／スリップ締結／解放を行なう。この第１クラッチCL1が締結状態なら、エンジンEngが左右駆動輪LT,RTに接続され、モータトルク＋エンジントルクが第２クラッチCL2へと伝達される。また、第１クラッチCL1が解放状態なら、エンジンEngが左右駆動輪LT,RTから切り離され、モータトルクのみが第２クラッチCL2へと伝達される。そして、第１クラッチCL1の締結／スリップ締結／解放は、クラッチ油圧（押付力）に応じて伝達トルク（クラッチトルク容量）が発生する油圧制御にて行われる。
【００１４】
モータジェネレータMGは、交流同期モータ構造であり、発進時や走行時にモータトルク制御やモータ回転数制御を行うと共に、減速時に回生ブレーキ制御による車両運動エネルギーのバッテリ９への回収（充電）を行なうものである。
【００１５】
第２クラッチCL2は、無段変速機CVTの前後進切替機構に設けられたノーマルオープンの湿式多板クラッチや湿式多板ブレーキであり、クラッチ油圧（押付力）に応じて伝達トルク（クラッチトルク容量）が発生する。この第２クラッチCL2は、無段変速機CVT及びファイナルギヤFGを介し、エンジンEng及びモータジェネレータMG（第１クラッチCL1が締結されている場合）から出力されたトルクを左右駆動輪LT,RTへと伝達する。なお、第２クラッチCL2は、図１に示すように、モータジェネレータMGと無段変速機CVTの間の位置に設定する以外に、無段変速機CVTと左右駆動輪LT,RTの間の位置に設定してもよい。
【００１６】
無段変速機CVTは、変速機入力軸inputに接続したプライマリプーリPrPと、変速機出力軸outputに接続したセカンダリプーリSePと、プライマリプーリPrPとセカンダリプーリSePとの間に架け渡されたプーリベルトBEと、を有するベルト式無段変速機である。
【００１７】
プライマリプーリPrPは、変速機入力軸inputに固定された固定シーブと、変速機入力軸inputに摺動自在に支持された可動シーブと、を有している。セカンダリプーリSePは、変速機出力軸outputに固定された固定シーブと、変速機出力軸outputに摺動自在に支持された可動シーブと、を有している。
【００１８】
プーリベルトBEは、プライマリプーリPrPとセカンダリプーリSePとの間に巻き掛けられた金属ベルトであり、それぞれの固定シーブと可動シーブとの間に挟持される。ここで、プーリベルトBEとしては、ピン型ベルトやVDT型ベルトが使用される。
【００１９】
無段変速機CVTでは、両プーリPrP,SePのプーリ幅を変更し、プーリベルトBEの挟持面の径を変更して変速比（プーリ比）を自在に制御する。ここで、プライマリプーリPrPのプーリ幅が広くなると共に、セカンダリプーリSePのプーリ幅が狭くなると変速比がLow側に変化する。また、プライマリプーリPrPのプーリ幅が狭くなると共に、セカンダリプーリSePのプーリ幅が広くなると変速比がHigh側に変化する。
【００２０】
［運転モードの詳細構成］
実施例１のＦＦハイブリッド車両は、上述の駆動系により、運転モードとして、電気走行モード（以下、「EVモード」という。）と、ハイブリッド走行モード（以下、「HEVモード」という。）等を有する。
【００２１】
「EVモード」は、第１クラッチCL1を解放状態とし、第２クラッチCL2を締結状態とし、エンジンEngを駆動系から切り離して、モータジェネレータMGのみを駆動力伝達可能となるように左右駆動輪LT,RTに接続する。これにより、「EVモード」では、車両に駆動力を付与する駆動走行時、モータジェネレータMGを力行側に制御して、このモータジェネレータMGを走行駆動源（モータ）として用いる。また、車両に制動力を付与する減速走行時、モータジェネレータMGを回生側に制御して発電駆動源（ジェネレータ）として用いると共に、このとき発生する回生トルクを制動力として用いる。
【００２２】
なお、「モータジェネレータMGを力行側に制御する」とは、インバータ８からモータジェネレータMGに電力を供給し、モータジェネレータMGで左右駆動輪LT,RTを駆動する力行状態となるように、モータジェネレータMGを制御することである。また、「モータジェネレータMGを回生側に制御する」とは、モータジェネレータMGと左右駆動輪LT,RTの持っている回転エネルギーがインバータ８に流れ込む回生状態となるように、モータジェネレータMGを制御することである。
【００２３】
「HEVモード」は、第１クラッチCL1を締結状態とし、第２クラッチCL2を締結状態とし、モータジェネレータMG及びエンジンEngの双方を駆動力伝達可能となるように左右駆動輪LT,RTに接続する。これにより、「HEVモード」では、駆動走行時、モータジェネレータMGを力行側に制御すると共にエンジンEngに燃料供給し、エンジンEngとモータジェネレータMGを走行駆動源として用いる。また、減速走行時には、モータジェネレータMGを回生側に制御し、このとき発生する回生トルクを制動力として用いる。また、減速時、エンジンEngをクランキング運転状態（モータジェネレータMGに連れ回り回転する）にしてフリクショントルクを発生させ、このエンジンEngによるフリクショントルク（エンジンフリクショントルク）を制動力として用いる。
【００２４】
「EVモード」と「HEVモード」のモード遷移は、目標駆動力と、図２に示すモード遷移マップを用いて行われる。つまり、駆動走行時には、図２に示す目標駆動力ゼロ軸よりも上側に設定された力行制御領域上に、正の値の目標駆動力（要求加速度）と車速に応じた動作点Ｐが設定され、この動作点ＰがEV領域内にあるときに「EVモード」が選択され、HEV領域内にあるときに「HEVモード」が選択される。また、減速走行時には、図２に示す目標駆動力ゼロ軸よりも下側に設定された回生制御領域上に、負の値の目標駆動力（要求減速度）に応じた動作点Ｐが設定され、この動作点ＰがEV領域内にあるときに「EVモード」が選択され、HEV領域内にあるときに「HEVモード」が選択される。
なお、目標駆動力は、車速とドライバの運転操作（ここでは、アクセル開度やブレーキ踏力）や、目標車速と実車速に基づいて演算される。
【００２５】
［制御系の詳細構成］
ＦＦハイブリッド車両の制御系は、図１に示すように、統合コントローラ１４と、変速機コントローラ１５と、クラッチコントローラ１６と、エンジンコントローラ１７と、モータコントローラ１８と、バッテリコントローラ１９と、を備えている。そして、センサ類として、モータ回転数センサ６と、変速機入力回転数センサ７と、アクセル開度センサ１０と、エンジン回転数センサ１１と、油温センサ１２と、変速機出力回転数センサ１３と、を備えている。さらに、ブレーキセンサ２１と、レバー位置センサ２２と、車速センサ２３と、を備えている。
【００２６】
統合コントローラ１４は、バッテリ状態、アクセル開度、車速（変速機出力回転数に同期した値）、作動油温等から目標駆動力を演算する。そして、目標駆動力の演算結果に基づき、各アクチュエータ（モータジェネレータMG、エンジンEng、第１クラッチCL1、第２クラッチCL2、無段変速機CVT）に対する指令値を演算し、CAN通信線２５を介して各コントローラ１５，１６，１７，１８，１９へと送信する。
【００２７】
変速機コントローラ１５は、統合コントローラ１４からの変速指令を達成するように、無段変速機CVTのプライマリプーリPrPとセカンダリプーリSePに供給されるプーリ油圧を制御することにより変速制御を行なう。
【００２８】
変速機コントローラ１５での変速制御は、図３に示す変速スケジュールマップと、車速VSPと目標駆動力DF（要求加速度又は要求減速度の絶対値）による運転点とを用い、変速スケジュール上での運転点（VSP,DF）により目標プライマリ回転数Npri*を決めることで行われる。変速スケジュールは、図３に示すように、運転点（VSP,DF）に応じて最Low変速比と最High変速比による変速比幅内で変速比を変更する。なお、図３の太線はコースト走行中の変速比を示すコースト変速線を示し、例えば、変速比が最High変速比でのコースト走行中、車速VSPが低下して減速すると、最High変速比から最Low変速比に向かってダウンシフトする。
【００２９】
クラッチコントローラ１６は、エンジン回転数センサ１１やモータ回転数センサ６や変速機入力回転数センサ７、等からのセンサ情報を入力し、第１クラッチCL1と第２クラッチCL2にクラッチ油圧指令値を出力する。これにより、第１クラッチCL1の押付力が設定されると共に、第２クラッチCL2の押付力が設定される。
【００３０】
エンジンコントローラ１７は、エンジン回転数センサ１１からのセンサ情報を入力すると共に、統合コントローラ１４からのエンジントルク指令値を達成するように、エンジンEngのトルク制御を行なう。また、統合コントローラ１４からフューエルカット指令が入力された場合には、エンジンEngへの燃料供給を停止する。
【００３１】
モータコントローラ１８は、統合コントローラ１４からのモータトルク指令値やモータ回転数指令値、回生力指令を達成するように、インバータ８に対し制御指令を出力し、モータジェネレータMGのモータトルク制御やモータ回転数制御、回生ブレーキ制御を行なう。また、このモータコントローラ１８では、モータジェネレータ温度を管理し、モータ温度情報を統合コントローラ１４へ送信する。
なお、インバータ８は、直流／交流の相互変換を行うもので、モータジェネレータMGを力行側に制御するとき、バッテリ９からの放電電流をモータジェネレータMGの駆動電流に変化し、モータジェネレータMGを回生側に制御するとき、モータジェネレータMGからの発電電流をバッテリ９への充電電流に変換する。
【００３２】
バッテリコントローラ１９は、バッテリ９の充電容量SOCやバッテリ温度を管理し、SOC情報及びバッテリ温度情報を統合コントローラ１４へ送信する。
【００３３】
さらに、この実施例１では、統合コントローラ１４（ハイブリッド車両の制御装置）が、コースト時クラッチ制御部３０と、コースト時燃料供給制御部４０と、を有している。
【００３４】
コースト時クラッチ制御部３０では、コースト走行時に、第１クラッチCL1を解放してエンジンEngを左右駆動輪LT,RTから切り離すと共に、モータジェネレータMGにて回生トルク（コースト回生トルク）を発生させる。また、このコースト回生トルクを目標回生トルクにする回生ブレーキ制御を行う。そして、コースト走行中、所定の回生制限条件が成立すると、コースト回生トルクの上限値（回生トルク上限値）を、モータジェネレータMGによって発生可能な回生トルクの最大値（回生トルク最大値）よりも小さい値に制限する。さらに、回生トルク上限値の制限を開始してから、この回生トルク上限値が目標回生トルクに一致するまでの間に、第１クラッチCL1に締結指令を出力してエンジンEngを左右駆動輪LT,RTに接続する。
【００３５】
このコースト時クラッチ制御部３０は、図４に示すように、コースト判定部３１と、コースト回生制御部３２と、クラッチ制御部３３と、回生制限部３４と、を有している。
【００３６】
コースト判定部３１は、アクセル開度及びブレーキ踏力に基づいて、ＦＦハイブリッド車両がコースト走行状態であるか否かを判断する。このコースト判定部３１には、アクセル開度センサ１０及びブレーキセンサ２１からのセンサ情報が入力される。そして、このコースト判定部３１は、ブレーキ踏力がゼロであり、アクセル開度が解放操作領域であるとき、コースト走行状態であると判断し、コースト判定信号を出力する。
なお、「コースト走行」とは、ドライバからの駆動力要求がなく、惰性で走行する状態である。また、「アクセル開度の解放操作領域」とは、アクセルペダルが解放操作されていると判断できる任意の開度領域であり、例えばアクセル開度２／８〜ゼロ（アクセル足離し状態）までの領域とする。
【００３７】
コースト回生制御部３２は、コースト判定部３１からのコースト判定信号と、アクセル開度センサ１０及び車速センサ２３からのセンサ情報が入力される。このコースト回生制御部３２は、コースト走行時、モータジェネレータMGを回生側に制御してコースト回生トルクを発生させる。また、このとき、コースト回生トルクが、目標値である目標回生トルクになるように回生ブレーキ制御を行う。ここで、目標回生トルクは、コースト走行時に必要な車両減速度（必要減速度）に応じて設定される。なお、「必要減速度」は、車速及びアクセル開度に応じて決まり、図５にアクセル開度がゼロのときの必要減速度と車速との関係を示す。また、この「コースト走行時の必要減速度」は、モータジェネレータMGにて発生可能な回生トルクの最大値（回生トルク最大値）を発生させた際に生じる車両減速度よりも小さい値に設定される。「回生トルク最大値」は、モータジェネレータMGの定格によって決まる。
【００３８】
さらに、このコースト回生制御部３２では、コースト回生トルクの上限値（回生トルク上限値）を設定する。ここで、回生トルク上限値は、回生制限部３４から制限トルク指令が入力されていないときには、回生トルク最大値に設定される。また、この回生トルク上限値は、回生制限部３４から制限トルク指令が入力されたときには、回生トルク最大値から制限トルクΔＴを差し引いた値に設定され、回生トルク最大値よりも小さい値に制限される。つまり、コースト回生トルクは、回生制限部３４から制限トルク指令が入力されたとき、この制限トルク指令に応じて制限される。
【００３９】
クラッチ制御部３３は、コースト判定部３１からのコースト判定信号と、コースト回生制御部３２からの目標回生トルク情報及び回生トルク上限値情報と、モータ回転数センサ６、車速センサ２３、ブレーキセンサ２１からの各種センサ情報が入力される。このクラッチ制御部３３は、コースト判定信号が入力したとき、第１クラッチCL1を解放するCL1解放制御指令を出力する。また、クラッチ制御部３３では、回生トルク上限値の大きさ及びモータ回転数Nmの大きさを判断し、回生トルク上限値が目標回生トルクの最大値以下に達すると共に、モータ回転数Nmが予め設定したエンジン回転数上限値（Ne上限値）以下に達したとき、第１クラッチCL1を締結するCL1締結制御指令を出力する。さらに、このクラッチ制御部３３は、コースト走行中で第１クラッチCL1の締結中に、ブレーキペダルが踏込み操作されると共に、車速が所定の停車閾値以下になったとき、第１クラッチ解放指令の出力を許可する。
【００４０】
なお、「エンジン回転数上限値」とは、エンジンEngをクランキング運転状態にする際、エンジンEngの振動や音でドライバに違和感を与えない（音振性能を許容できる）回転数であり、図６に示すマップと車速に応じて設定される。また、「停車閾値」とは、車両が停車したと判定できる車速であり、例えば車速センサ２３の検出限界値に設定される。
【００４１】
回生制限部３４は、バッテリ９のSOC情報及びモータジェネレータMGの温度情報が入力される。この回生制限部３４は、SOCやモータ温度に基づいて回生制限条件が成立したか否かを判断する。そして、回生制限条件が成立したと判断したとき、回生トルク上限値を制限する制限トルクΔＴを演算すると共に、制限トルク指令を出力する。制限トルク情報は、制限トルク指令と共にコースト回生制御部３２に入力される。
なお、「回生制限条件」は、例えばSOCやモータ温度の所定値を基準にして設定される条件である。また、「制限トルクΔＴ」及びそのレート（変化の傾き）は、SOCやモータ温度や、これらの変化速度、変化量等に応じて設定する。この「制限トルクΔＴ」は、回生トルク最大値に対する回生トルク上限値の制限量となる。
【００４２】
コースト時燃料供給制御部４０では、コースト走行時に回生トルク上限値が制限されている間、エンジンEngに対する燃料供給を禁止すると共に、燃料供給要求を許可しない。すなわち、このコースト時燃料供給制限部４０は、コースト判定信号及び制限トルク指令が入力されたとき、エンジンEngへの燃料供給を停止するフューエルカット指令を出力すると共に、燃料カットフラグを「１」に設定する。これにより、例えば暖房ＯＮ操作によって燃料供給要求が出力され、燃料カット禁止フラグが「１」に設定されても、エンジンEngへの燃料供給が許可されず、燃料供給要求は無視されてフューエルカット状態を維持する。
【００４３】
［コースト時クラッチ制御処理構成］
図７は、実施例１のコースト時クラッチ制御部にて実行されるコースト時クラッチ制御処理の流れを示すフローチャートである。以下、図７に基づき、実施例１のコースト時クラッチ制御処理構成を説明する。なお、このコースト時クラッチ制御処理は、ＦＦハイブリッド車両において走行している間（車速が所定閾値を上回っている間）、予め設定された周期にて繰り返し処理が実行される。
【００４４】
ステップＳ１では、コースト判定部３１にて、コースト走行中であるか否かを判断する。YES（コースト走行）の場合にはステップＳ２へ進み、NO（非コースト走行）の場合にはステップＳ１を繰り返す。
ここで、コースト走行中であるか否かは、アクセル開度及びブレーキ踏力に基づいて判断され、アクセル開度が所定の解放操作領域であって、ブレーキ踏力がゼロのときにコースト走行中であると判断される。
【００４５】
ステップＳ２では、ステップＳ１でのコースト走行中との判断に続き、クラッチ制御部３３にて、第１クラッチCL1を解放するCL1解放指令を出力し、ステップＳ２へ進む。この結果、エンジンEngは左右駆動輪LT,RTから切り離され、「EVモード」に遷移する。
【００４６】
ステップＳ３では、ステップＳ２でのCL1解放指令の出力に続き、コースト回生制御部３２にて、モータジェネレータMGによって発生するコースト回生トルクの目標値である目標回生トルクを設定し、ステップＳ４へ進む。
ここで、目標回生トルクは、アクセル開度と車速に基づいて決まる必要な車両減速度に応じて設定される。
【００４７】
ステップＳ４では、ステップＳ３での目標回生トルクの設定に続き、コースト回生トルクがこのステップＳ３にて設定した目標回生トルクに一致するように、回生ブレーキ制御を実施し、ステップＳ５へ進む。
【００４８】
ステップＳ５では、ステップＳ４での回生ブレーキ制御の実施に続き、回生制限部３４にて、所定の回生制限条件が成立したか否かを判断する。YES（条件成立）の場合にはステップＳ６へ進み、NO（条件不成立）の場合にはステップＳ３へ戻る。
ここで、回生制限条件が成立したか否かは、バッテリ９のSOC情報やモータジェネレータMGの温度情報に基づいて判断される。
【００４９】
ステップＳ６では、ステップＳ５での回生制限条件成立との判断に続き、回生制限部３４にて、コースト回生トルクの上限値（回生トルク上限値）を制限トルクΔＴによって制限し、ステップＳ７へ進む。
ここで、制限トルクΔＴは、SOCやモータ温度や、これらの変化速度、変化量等に応じて設定する。また、回生トルク上限値を制限するには、回生トルク最大値から制限トルクΔＴを差し引いた値を新たな回生トルク上限値に設定することで行う。
【００５０】
ステップＳ７では、ステップＳ６での回生トルク上限値の制限に続き、クラッチ制御部３３にて、このステップＳ６にて制限した回生トルク上限値が、目標回生トルクの最大値以下であるか否かを判断する。YES（回生トルク上限値≦目標回生トルク最大値）の場合にはステップＳ８へ進み、NO（回生トルク上限値＞目標回生トルク最大値）の場合にはステップＳ６へ戻る。
ここで、「目標回生トルクの最大値」は、任意に設定する必要減速度の最大値（＜回生トルク最大値）に応じて設定される。
【００５１】
ステップＳ８では、ステップＳ７での回生トルク上限値≦目標回生トルク最大値との判断に続き、クラッチ制御部３３にて、エンジンEngへの入力回転数になるモータ回転数Nmが予め設定したエンジン回転数上限値（Ne上限値）以下であるか否かを判断する。YES（Nm≦Ne上限値）の場合にはステップＳ９へ進み、NO（Nm＞Ne上限値）の場合にはステップＳ10へ進む。
ここで、「エンジン回転数上限値」は、図６に示すマップと車速に応じて設定される。
【００５２】
ステップＳ９では、ステップＳ８でのNm≦Ne上限値との判断に続き、クラッチ制御部３３にて、エンジンEngをクランキング運転状態にしたときにエンジンEngの振動や音でドライバに違和感を与えない（音振性能を許容できる）として、第１クラッチCL1を締結するCL1締結指令を出力し、ステップＳ11へ進む。この結果、エンジンEngは左右駆動輪LT,RTに接続され、「HEVモード」に遷移する。このとき、エンジンEngは、燃料供給が禁止されてクランキング運転状態になる。
【００５３】
ステップＳ10では、ステップＳ８でのNm＞Ne上限値との判断に続き、クラッチ制御部３３にて、エンジンEngをクランキング運転状態にしたときにエンジンEngの振動や音でドライバに違和感を与える（音振性能を許容できない）として、モータ回転数Nmをエンジン回転数上限値（Ne上限値）に一致させるモータ回転数指令を出力し、ステップＳ８へ戻る。
【００５４】
ステップＳ11では、ステップＳ９でのCL1締結指令の出力に続き、クラッチ制御部３３にて、ブレーキペダルが踏込み操作（ＯＮ操作）されたか否かを判断する。YES（ブレーキＯＮ）の場合にはステップＳ12へ進み、NO（ブレーキＯＦＦ）の場合にはステップＳ11を繰り返す。
ここで、ブレーキペダルの踏込み操作の有無は、ブレーキセンサ２１からのブレーキ踏力情報に基づいて判断する。
【００５５】
ステップＳ12では、ステップＳ11でのブレーキＯＮとの判断に続き、クラッチ制御部３３にて、車速が所定の停車閾値以下であるか否かを判断する。YES（車速≦停車閾値）の場合にはステップＳ13へ進み、NO（車速＞停車閾値）の場合にはステップＳ11へ戻る。
【００５６】
ステップＳ13では、ステップＳ12での車速≦停車閾値との判断に続き、クラッチ制御部３３にて、ドライバの停車意図が発生したとして、第１クラッチCL1の解放を許可し、エンドへ進む。この結果、目標駆動力と、図２に示すモード遷移マップに基づいてHEV→EV遷移要求が発生すれば、第１クラッチCL1を解放するCL1解放指令が出力されて「EVモード」に遷移する。
【００５７】
［コースト時フューエルカット処理構成］
図８は、実施例１のコースト時燃料供給制御部にて実行されるコースト時フューエルカット処理の流れを示すフローチャートである。以下、図８に基づき、実施例１のコースト時フューエルカット処理構成を説明する。なお、このコースト時フューエルカット処理は、ＦＦハイブリッド車両がコースト走行している間、繰り返し実行される。
【００５８】
ステップＳ20では、所定の回生制限条件が成立したか否かを判断する。YES（条件成立）の場合にはステップＳ21へ進み、NO（条件不成立）の場合にはステップＳ22へ進む。
ここで、回生制限条件が成立したか否かは、バッテリ９のSOC情報やモータジェネレータMGの温度情報に基づいて判断される。
【００５９】
ステップＳ21では、ステップＳ20での回生制限条件成立との判断に続き、燃料カットフラグを「１」に設定し、ステップＳ23へ進む。
ここで、「燃料カットフラグ」は、エンジンEngへの燃料供給を禁止する（燃料供給を許可しない）フラグである。
【００６０】
ステップＳ22では、ステップＳ20での回生制限条件の不成立との判断に続き、燃料カットフラグを「ゼロ」に設定し、リターンへ進む。
この燃料カットフラグを「ゼロ」に設定することで、エンジンEngへの燃料供給が許可され（燃料供給は禁止されない）、燃料供給要求が生じた場合には、エンジンEngに燃料供給が行われる。
【００６１】
ステップＳ23では、ステップＳ21での燃料供給フラグ＝１に続き、エンジンEngへの燃料供給を停止（フューエルカットを実行）し、ステップＳ24へ進む。これにより、エンジンEngが左右駆動輪LT,RTに接続された場合には、モータジェネレータMGの回転に連れまわるだけのクランキング運転状態になる。
【００６２】
ステップＳ24では、ステップＳ23でのフューエルカットに続き、燃料供給要求が生じたか否かを判断する。YES（燃料供給要求あり）の場合はステップＳ25へ進み、NO（燃料供給要求なし）の場合はステップＳ26へ進む。
ここで、燃料供給要求は、例えば車内暖房のＯＮ操作等によって発生する。
【００６３】
ステップＳ25では、ステップＳ24での燃料供給要求ありとの判断に続き、燃料カット禁止フラグを「１」に設定し、ステップＳ27へ進む。
ここで、「燃料カット禁止フラグ」は、フューエルカットを禁止する（燃料供給を許可する）フラグである。
【００６４】
ステップＳ26では、ステップＳ24での燃料供給要求なしとの判断に続き、燃料カット禁止フラグを「ゼロ」に設定し、リターンへ進む。
この燃料カット禁止フラグを「ゼロ」に設定することで、エンジンEngへの燃料供給の要求が取り下げられる。
【００６５】
ステップＳ27では、ステップＳ25での燃料カット禁止フラグ＝１に続き、フューエルカット状態を維持してリターンへ進む。
すなわち、ステップＳ20において回生制限条件が成立した場合には、燃料カット禁止フラグの状態よりも、燃料カットフラグの状態が優先される。この結果、燃料供給要求は無視されて、エンジンEngへの燃料供給が行われず、エンジンEngはクランキング運転状態に維持される。
【００６６】
次に、作用を説明する。
実施例１のハイブリッド車両の制御方法及び制御装置における作用を、「回生制限時の減速度変動抑制作用」、「回生制限時のフューエルカット維持作用」、「その他の特徴的作用」に分けて説明する。
【００６７】
［回生制限時の減速度変動抑制作用］
図９Ａ及び図９Ｂは、実施例１にてコースト走行時にモータ回生制限が生じたときの車速・アクセル開度・ブレーキ踏力・第１クラッチ指令・コースト回生トルク・回生トルク上限値・エンジンフリクショントルク・モータ回転数・エンジン回転数・車両減速度・燃料カット禁止フラグ・フューエルカット状態の各特性を示すタイムチャートである。以下、図９Ａ及び図９Ｂに基づいて、実施例１の回生制限時の減速度変動抑制作用を説明する。
【００６８】
実施例１のＦＦハイブリッド車両では、走行中、図９Ａ及び図９Ｂに示すタイムチャートの時刻t１時点でアクセル開度が所定の解放操作領域となるように解放操作されると、このときのブレーキ踏力がゼロであるため、図７に示すフローチャートにおいて、ステップＳ１→ステップＳ２→ステップＳ３→ステップＳ４へと進む。
【００６９】
すなわち、コースト走行中であるとして、第１クラッチCL1に解放指令が出力され、第１クラッチCL1が解放される。なお、図９Ａに示す例では、時刻t１以前より第１クラッチCL1が解放状態になっている。また、このときモータジェネレータMGは、回生側に制御されてコースト回生トルクを発生するが、このコースト回生トルクが、アクセル開度と車速に基づいて、要求に応じた車両減速度を出力するために設定される「目標回生トルク」に一致するように、モータジェネレータMGの回生ブレーキ制御が行われる。
【００７０】
そして、コースト回生トルクが発生すると、このコースト回生トルクがＦＦハイブリッド車両の左右駆動輪LT,RTに対する負荷になる。この結果、要求に応じた車両減速度が発生して左右駆動輪LT,RTに制動力が付与され、車速が次第に低下していく。
【００７１】
時刻t２時点において、回生を行ったことでモータジェネレータMGの温度が上昇する等により回生制限条件が成立すると、図７に示すフローチャートではステップＳ５→ステップＳ６へと進む。これにより、制限トルクΔＴが演算され、この制限トルクΔＴによってコースト回生トルクの上限値（回生トルク上限値）が制限される。つまり、モータジェネレータMGにて発生可能な回生トルク最大値から、演算した制限トルクΔＴを差し引いた値が新たな回生トルク上限値に設定される。この結果、回生トルク上限値は、回生トルク最大値よりも小さい値に制限される。
【００７２】
ここで、図９Ａ及び図９Ｂに示す例では、時刻t２時点において、目標回生トルクの絶対値が回生トルク上限値の絶対値を下回っている。そのため、回生トルク上限値が制限されても、コースト回生トルクを目標回生トルクに一致させることができ、要求に応じた車両減速度を出力することができる。つまり、車両減速度の変動（減少）は発生しない。
【００７３】
時刻t４時点において、回生トルク上限値が目標回生トルクの最大値に達すると、回生トルク上限値≦目標回生トルク最大値と判断される。そして、ステップＳ７→ステップＳ８へと進む。一方、この時刻t４時点では、エンジンEngへの入力回転数であるモータ回転数Nmがエンジン回転数上限値（Ne上限値）を上回っているため、ステップＳ10へと進み、このモータ回転数Nmをエンジン回転数上限値（Ne上限値）に一致させるモータ回転数制御が行われる。
なお、この時刻t４時点においても、目標回生トルクの絶対値は回生トルク上限値の絶対値を下回っている。このため、コースト回生トルクを目標回生トルクに一致させることができ、要求に応じた車両減速度が出力できて、車両減速度の変動（減少）は発生しない。
【００７４】
時刻t５時点において、モータ回転数Nmがエンジン回転数上限値（Ne上限値）に一致すると、Nm≦Ne上限値と判断されて、ステップＳ８→ステップＳ９へと進む。これにより、第１クラッチCL1に締結指令が出力され、第１クラッチCL1が締結される。そして、第１クラッチCL1が締結されることで、エンジンEngが左右駆動輪LT,RTに接続され、エンジンフリクショントルクを左右駆動輪LT,RTに伝達することが可能になる。
【００７５】
一方、時刻t６時点において、第１クラッチCL1の締結途中で回生トルク上限値が目標回生トルクに一致し、その後、目標回生トルクの絶対値は、回生トルク上限値の絶対値を上回る。これにより、コースト回生トルクを、目標回生トルクに一致させることができなくなり、要求に応じた車両減速度を出力できずに、車両減速度の低下が生じる。
【００７６】
しかしながら、実施例１では、車両減速度の低下が発生し始める時刻t６時点よりも前の、時刻t５時点において第１クラッチCL1の締結指令が出力されている。そのため、時刻t６の直後の時刻t７時点には、第１クラッチCL1のクラッチ締結容量の発生が開始し、エンジンEngが回転し始める。そして、時刻t８時点において第１クラッチCL1が完全締結し、エンジン回転数とモータ回転数が一致する。また、第１クラッチCL1が完全に締結したことで、エンジンフリクショントルクが左右駆動LT,RTに十分伝達され、このエンジンフリクショントルクがＦＦハイブリッド車両の左右駆動LT,RTに対する負荷になる。つまり、エンジンフリクショントルクによって回生制限によるコースト回生トルクの制限量が補填され、必要な車両減速度を出力することが可能になる。
【００７７】
なお、回生トルク上限値が目標回生トルクに一致したタイミング（時刻t６時点）、すなわち、コースト回生トルクを目標回生トルクに一致させることができなったことを検出してから第１クラッチCL1を締結する締結指令を出力した場合では、第１クラッチCL1が完全に締結するタイミングが実施例１の場合（時刻t８時点）よりも確実に遅くなる。そのため、図９Ｂにおいて二点鎖線で示すように、エンジンフリクショントルクによってコースト回生トルクの補填を行うタイミグが実施例１の場合よりも遅くなり、車両減速度が大幅に低減する。特にコースト走行時では、ドライバのペダル操作がほとんど行われておらず、ドライバは減速度の変動を感じやすくなっている。そのため、エンジンフリクショントルクによる回生トルク制限量の補填が遅くなるほど、ドライバに違和感を感じさせてしまう。
【００７８】
これに対し、実施例１では、第１クラッチCL1の締結指令が、時刻t２時点でコースト回生トルクの上限値の制限を開始してから、時刻t６時点で回生トルク上限値が目標回生トルクに一致するまでの間に出力される（実施例１では時刻t５時点）。つまり、コースト回生トルクを目標回生トルクに一致させることができなくなる前に、第１クラッチCL1の締結指令を出力することができる。
【００７９】
そのため、コースト回生トルクが制限されて、コースト回生トルクを目標回生トルクに一致させることができなくなっても、車両減速度が低下してから時間を空けることなくエンジンフリクショントルクを左右駆動輪LT,RTの負荷にすることができる。これにより、コースト走行時にコースト回生トルクが制限された際、エンジンフリクショントルクによって回生トルクの制限量を速やかに補填して、車両減速度が大幅に減少（急減）することによるドライバの違和感の発生を防止することができる。
【００８０】
［回生制限時のフューエルカット維持作用］
実施例１のＦＦハイブリッド車両では、コースト走行中、図８に示すフローチャートにおいて、ステップＳ20が判断され、回生制限条件が成立していない場合（コースト回生トルクの上限値（回生トルク上限値）が制限されていないとき）には、ステップＳ20→ステップＳ22へと進む。これにより、燃料カットフラグは「ゼロ」に設定されてフューエルカットが禁止されることはない。そのため、燃料供給要求が発生すれば、エンジンEngへの燃料供給が適宜行われる。
【００８１】
一方、図９Ａ及び図９Ｂに示す例のように、時刻t２時点において、回生制限条件が成立して回生トルク上限値が制限されると、図８に示すフローチャートにおいて、ステップＳ20→ステップＳ21→ステップＳ23へと進む。
これにより、回生制限中であるとして、時刻t２時点で燃料カットフラグが「１」に設定されて燃料供給が禁止されると共に、フューエルカットが実行される。なお、図９Ｂでは、時刻t２以前よりフューエルカットが実行され、燃料供給状態は「カット」になっている。
【００８２】
その後、時刻t３時点において、車内暖房のＯＮ操作されたことで燃料供給要求が生じると、ステップＳ24→ステップＳ25→ステップＳ27へと進む。これにより、燃料カット禁止フラグが「１」に設定される。しかしながら、燃料カット禁止フラグよりも燃料カットフラグの設定が優先されるため、時刻t３時点において燃料カット禁止フラグが「１」に設定されるものの、燃料供給が禁止されていることからフューエルカットは実行され続け、燃料供給状態は「カット」を維持する。
【００８３】
このように、実施例１では、コースト回生トルクが制限されているときには、エンジンEngへの燃料供給要求が発生しても、この燃料供給要求は無視され、エンジンEngはクランキング運転状態を維持する。
【００８４】
これにより、燃料供給に伴ってエンジンフリクショントルクが急減することを防止でき、車両減速度が急激に低下することを抑制して、ドライバの違和感の発生を防止することができる。
【００８５】
なお、図９Ｂに示す例では、時刻t８以降の時刻t８´において車内暖房がＯＦＦ操作される等して燃料供給要求が生じなくなると、ステップＳ24→ステップＳ26へと進んで燃料カット禁止フラグが「ゼロ」に設定される。しかしながら、この時刻t８´では、燃料カットフラグが「１」に設定されているため、燃料供給は禁止され続けてフューエルカット状態は維持される。
【００８６】
一方、時刻t９時点において、ブレーキペダルが踏込み操作されると、コースト走行が解除される。この結果、回生制限条件も不成立となるため、ステップＳ20→ステップＳ22へと進んで、燃料カットフラグが「ゼロ」に設定される。これにより、燃料供給が可能になり、例えば暖房ＯＮ操作に伴って燃料供給要求が発生すれば、エンジンEngへの燃料供給が実行される。
【００８７】
［その他の特徴的作用］
実施例１では、上述のように、モータ回転数Nmが、エンジン回転数上限値（Ne上限値）以下になったら、第１クラッチCL1の締結指令を出力している。そのため、第１クラッチCL1が完全締結し、エンジンEngが左右駆動輪LT,RTに接続される時刻t７時点では、エンジン回転数Neは、エンジン回転数上限値（Ne上限値）以下になる。
【００８８】
つまり、エンジンEngへの入力回転数であるモータ回転数Nmが所定の上限回転数（エンジン回転数上限値Ne上限）以下のとき、第１クラッチCL1に締結指令が出力されて、エンジンEngが左右駆動輪LT,RTに接続される。
【００８９】
これにより、エンジンEngがクランキング運転状態になった際、エンジン回転数が不要に高くなることを抑制して、このエンジンEngの回転に伴って生じる振動や音がドライバに違和感を与えることを防止できる。すなわち、エンジンフリクショントルクによって車両減速度を補填する際の音振性能の低下を防止することができる。
【００９０】
また、この実施例１では、図９Ａ及び図９Ｂに示す時刻t９時点において、ブレーキ踏力が発生し、ブレーキペダルが踏込み操作が行われたと判断されたら、図７に示すフローチャートでステップＳ11→ステップＳ12へと進む。そして、時刻t１０において、車速が停車閾値に達すれば、ステップＳ13へと進んで第１クラッチCL1の解放が許可される。
なお、この図９Ａ及び図９Ｂに示す実施例１では、第１クラッチCL1の解放が許可されたタイミング（時刻t１０時点）で、第１クラッチCL1へ解放指令が出力される。
【００９１】
ここで、ブレーキペダルが踏込み操作が行われ、車速が停車閾値以下になったことは、ドライバに停車意図があることを示している。一方、ドライバの意志によって車両を停車するときには、エンジンEngの回転を停止し、エンジン音が生じることの違和感を緩和したいという要求がある。
【００９２】
これに対し、実施例１では、ブレーキペダルが踏込み操作が行われると共に、車速が停車閾値以下になり、ドライバに停車意図があると判断されたら、第１クラッチCL1の解放が許可される。つまり、第１クラッチCL1に対して解放指令を出力することが許可される。これにより、ドライバの意志による停車時にはエンジンEngを左右駆動輪LT,RTから切り離して「EVモード」にすることが可能となり、停車時にエンジン音が発生することの違和感を緩和することができる。
【００９３】
特に、実施例１のようにドライバに停車意図があると判断されたタイミング（時刻t１０時点）で、第１クラッチCL1へ解放指令が出力される場合では、第１クラッチCL1の解放制御が直ちに行われ、エンジンEngを左右駆動輪LT,RTから速やかに切り離すことができる。
【００９４】
次に、効果を説明する。
実施例１のハイブリッド車両の制御方法及び制御装置にあっては、下記に列挙する効果が得られる。
【００９５】
(1) エンジンEngと、モータジェネレータMGと、前記エンジンEngと駆動輪LT,RTの間に配置されたエンジンクラッチ（第１クラッチCL1）と、を備え、前記エンジンクラッチ（第１クラッチCL1）を締結して前記エンジンEngを前記駆動輪LT,RTに接続すると共に、前記エンジンクラッチ（第１クラッチCL1）を解放して前記エンジンEngを前記駆動輪LT,RTから切り離すハイブリッド車両の制御方法において、
アクセル解放操作によるコースト走行時、前記エンジンクラッチ（第１クラッチCL1）を解放して前記エンジンEngを前記駆動輪LT,RTから切り離すと共に、前記モータジェネレータMGにて発生させるコースト回生トルクを目標回生トルクにし、
所定の回生制限条件が成立したとき、前記コースト回生トルクの上限値（回生トルク上限値）を、前記モータジェネレータMGにて発生可能な回生トルクの最大値（回生トルク最大値）よりも小さい値に制限し、
前記コースト回生トルクの上限値（回生トルク上限値）の制限を開始してから、該コースト回生トルクの上限値（回生トルク上限値）が前記目標回生トルクに一致するまでの間に、前記エンジンクラッチ（第１クラッチCL1）に締結指令を出力する構成とした。
これにより、コースト走行中の回生トルクの制限に伴う車両減速度の大幅な低減を防止し、ドライバの違和感を防止することができる。
【００９６】
(2) 前記コースト回生トルクの上限値（回生トルク上限値）が制限されているとき、前記エンジンEngに対する燃料供給を禁止すると共に、燃料供給要求を許可しない構成とした。
これにより、(1)の効果に加え、フューエルカットを維持することができ、急激なエンジンフリクショントルクの減少によるドライバの違和感を防止することができる。
【００９７】
(3) 前記エンジンクラッチ（第１クラッチCL1）に締結指令を出力するとき、前記エンジンEngへの入力回転数（モータ回転数Nm）を所定の上限回転数（エンジン回転数上限値）以下にする構成とした。
これにより、(1)又は(2)の効果に加え、エンジンEngを駆動輪LT,RTに接続した際、エンジン回転数が不要に高くなることを抑制して、エンジン接続時の振動や音による違和感を防止することができる。
【００９８】
(4) 前記エンジンクラッチ（第１クラッチCL1）の締結中にドライバの停車意図を検出したとき、前記エンジンクラッチ（第１クラッチCL1）の解放を許可する構成とした。
これにより、(1)〜(3)のいずれかの効果に加え、ドライバの意志による停車時に、エンジン音が発生することの違和感を緩和することができる。
【００９９】
(5) エンジンEngと、モータジェネレータMGと、前記エンジンEngと駆動輪LT,RTの間に配置されたエンジンクラッチ（第１クラッチCL1）と、を備えたハイブリッド車両の制御装置において、
アクセル解放操作によるコースト走行時、前記エンジンクラッチ（第１クラッチCL1）を解放して前記エンジンEngを前記駆動輪LT,RTから切り離すクラッチ制御部３３と、
前記コースト走行時、前記モータジェネレータMGに発生させるコースト回生トルクを目標回生トルクに制御するコースト回生制御部３２と、
所定の回生制限条件が成立したとき、前記コースト回生トルクの上限値（回生トルク上限値）を、前記モータジェネレータMGにて発生可能な回生トルクの最大値（回生トルク最大値）よりも小さい値に制限する回生制限部３４と、を備え、
前記クラッチ制御部３３は、前記コースト回生トルクの上限値（回生トルク上限値）の制限が開始されてから、該コースト回生トルクの上限値（回生トルク上限値）が前記目標回生トルクに一致するまでの間に、前記エンジンクラッチ（第１クラッチCL1）に締結指令を出力する構成とした。
これにより、コースト走行中の回生トルクの制限に伴う車両減速度の大幅な低減を防止し、ドライバの違和感を防止することができる。
【０１００】
以上、本開示のハイブリッド車両の制御方法及び制御装置を実施例１に基づき説明してきたが、具体的な構成については、この実施例に限られるものではなく、請求の範囲の各請求項に係る発明の要旨を逸脱しない限り、設計の変更や追加などは許容される。
【０１０１】
実施例１では、回生トルク上限値が目標回生トルクの最大値に達し、回生トルク上限値≦目標回生トルク最大値と判断された後、Nm≦Ne上限値と判断されたタイミングで第１クラッチCL1に締結指令が出力される例を示した。しかしながら、回生トルク上限値が目標回生トルクの最大値に達したタイミング（回生トルク上限値≦目標回生トルク最大値と判断されたとき）で、第１クラッチCL1に締結指令を出力するものであってもよい。
つまり、回生トルク上限値の制限が開始してから、この回生トルク上限値が目標回生トルクの最大値に一致するまでの間に第１クラッチCL1に締結指令を出力し、エンジンEngを左右駆動輪LT,RTに接続してもよい。
【０１０２】
ここで、目標回生トルクの最大値を規定する等駆動力線は、EV-HEV切替線を跨ぐことがない最小値となるように設定される。そのため、回生トルク上限値が目標回生トルクの最大値を下回った場合、車速に応じて駆動力を規定する等駆動力線が、EV領域とHEV領域を跨いでしまう。そのため、目標回生トルクが一定であっても、車速の低下に伴って、運転モード設定マップ上の動作点が「EV領域」→「HEV領域」→「EV領域」へと移動することになり、運転モードが「EVモード」→「HEVモード」→「EVモード」とハンチングし、短時間の間に第１クラッチCL1の締結／開放が繰り返される。
【０１０３】
これに対し、回生トルク上限値が目標回生トルクの最大値に一致するまでの間に第１クラッチCL1を締結してエンジンEngを左右駆動輪LT,RTに接続すれば、ＦＦハイブリッド車両の運転モードが「HEVモード」に固定される。そのため、運転モードのハンチング（EV-HEVハンチング）の発生を防止することができる。
【０１０４】
特に、回生トルク上限値が目標回生トルクの最大値に一致するタイミングで第１クラッチCL1に締結指令を出力し、エンジンEngを左右駆動輪LT,RTに接続する場合では、EV-HEVハンチングの発生を防止しつつ、エンジンフリクショントルクがモータジェネレータMGの負荷になるタイミングを遅らせて効率よく回生を行うことができる。
【０１０５】
また、第１クラッチCL1に締結指令を出力するタイミングは、実施例１に示す例等に限られない。例えば、回生トルク上限値の制限が開始した直後に第１クラッチ締結指令を出力してもよい。また、回生トルク上限値の制限開始後、この回生トルク上限値と目標回生トルクとの乖離幅が任意に設定した値になったときや、回生トルク上限値と回生トルク最大値との乖離幅が任意に設定した値になったときに、第１クラッチ締結指令を出力してもよい。
【０１０６】
さらに、回生トルク上限値が目標回生トルクの最大値に達したタイミング（回生トルク上限値≦目標回生トルク最大値と判断されたとき）の以前から、モータ回転数Nmがエンジン回転数上限値を下回っていれば、回生トルク上限値≦目標回生トルク最大値と判断された直後に第１クラッチ締結指令を出力してもよい。
【０１０７】
さらに、コースト回生トルクの上限値が目標回生トルクに一致するまでの間であれば、時間を基準として第１クラッチ締結指令を出力してもよい。つまり、回生トルク上限値の制限開始後、所定時間（＜回生トルク上限値が目標回生トルクに一致するまでの時間）が経過した後に第１クラッチ締結指令を出力してもよい。
【０１０８】
また、実施例１では、回生トルク上限値の制限開始後、所定の一定制限レートによってコースト回生トルクの上限値を制限する例を示したがこれに限らない。回生トルク上限値の制限レートは、モータ温度やバッテリ温度、SOC等の変化速度、変化量、また、目標回生トルクの大きさ等に応じて任意に設定する。つまり、回生トルク上限値の制限開始後、回生トルク上限値を急激に制限し、その後緩やかに制限するような制限レートであってもよい。
【０１０９】
また、実施例１では、「アクセル開度の解放操作領域」を、例えばアクセル開度２／８〜ゼロ（アクセル足離し状態）までの領域とする例を示したが、これに限らない。アクセル操作量がゼロ（アクセル足離し状態）のときに「アクセル開度の解放操作領域」となり、コースト走行時であると判断してもよい。
【０１１０】
そして、実施例１におけるハイブリッド車両の制御方法は、１モータ・２クラッチと呼ばれるパラレルハイブリッド駆動系を備えるＦＦハイブリッド車両に適用した例を示したが、これに限らない。本開示のハイブリッド車両の制御方法は、エンジンEngを駆動輪LT,RTに対して接続／切り離すエンジンクラッチを有し、コースト走行時にモータジェネレータMGを回生側に制御してコースト回生トルクを発生させるハイブリッド車両であれば適用することができる。
【図１】
2018189891.tif 000003
【図２】
2018189891.tif 000004
【図３】
2018189891.tif 000005
【図４】
2018189891.tif 000006
【図５】
2018189891.tif 000007
【図６】
2018189891.tif 000008
【図７】
2018189891.tif 000009
【図８】
2018189891.tif 000010
【図９Ａ】
2018189891.tif 000011
【図９Ｂ】
2018189891.tif 000012
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
モータジェネレータとエンジンとの双方の駆動力を駆動輪に伝達可能であると共に、前記エンジンを駆動輪から切り離して前記モータジェネレータのみの駆動力を駆動輪に伝達可能ハイブリッド車両の制御方法において、
アクセル解放操作によるコースト走行時、前記エンジンと前記駆動輪の間に配置されたエンジンクラッチを解放して前記エンジンを前記駆動輪から切り離すと共に、前記モータジェネレータで発生するコースト回生トルクを目標回生トルクにし、
所定の回生制限条件が成立したとき、前記モータジェネレータのコースト回生トルクの上限値を、前記モータジェネレータにて発生可能な回生トルクの最大値よりも小さい値に制限し、
前記コースト回生トルクの上限値の制限を開始した後、該コースト回生トルクの上限値が前記目標回生トルクの最大値に一致してから、該目標回生トルクに一致するまでの間に、前記エンジンクラッチに締結指令を出力する
ことを特徴とするハイブリッド車両の制御方法。
【請求項２】
（削除）
【請求項３】
請求項１に記載されたハイブリッド車両の制御方法において、
前記コースト回生トルクの上限値が制限されているとき、前記エンジンに対する燃料供給を禁止すると共に、燃料供給要求を許可しない
ことを特徴とするハイブリッド車両の制御方法。
【請求項４】
請求項１又は請求項３に記載されたハイブリッド車両の制御方法において、
前記エンジンクラッチに締結指令を出力するとき、前記エンジンへの入力回転数を所定の上限回転数以下にする
ことを特徴とするハイブリッド車両の制御方法。
【請求項５】
請求項１又は請求項３又は請求項４のいずれか一項に記載されたハイブリッド車両の制御方法において、
前記エンジンクラッチの締結中にドライバの停車意図を検出したとき、前記エンジンクラッチの解放を許可する
ことを特徴とするハイブリッド車両の制御方法。
【請求項６】
エンジンと、モータジェネレータと、前記エンジンと駆動輪の間に配置されたエンジンクラッチと、を備えたハイブリッド車両の制御装置において、
アクセル解放操作によるコースト走行時、前記エンジンクラッチを解放して前記エンジンを前記駆動輪から切り離すクラッチ制御部と、
前記コースト走行時、前記モータジェネレータで発生するコースト回生トルクを目標回生トルクに制御するコースト回生制御部と、
所定の回生制限条件が成立したとき、前記モータジェネレータのコースト回生トルクの上限値を、前記モータジェネレータにて発生可能な回生トルクの最大値よりも小さい値に制限する回生制限部と、を備え、
前記クラッチ制御部は、前記コースト回生トルクの上限値の制限を開始した後、該コースト回生トルクの上限値が前記目標回生トルクの最大値に一致してから、前記エンジンクラッチに締結指令を出力する
ことを特徴とするハイブリッド車両の制御装置。
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
モータジェネレータとエンジンとの双方の駆動力を駆動輪に伝達可能であると共に、前記エンジンを駆動輪から切り離して前記モータジェネレータのみの駆動力を駆動輪に伝達可能ハイブリッド車両の制御方法において、
アクセル解放操作によるコースト走行時、前記エンジンと前記駆動輪の間に配置されたエンジンクラッチを解放して前記エンジンを前記駆動輪から切り離すと共に、前記モータジェネレータで発生するコースト回生トルクを目標回生トルクにし、
所定の回生制限条件が成立したとき、前記モータジェネレータのコースト回生トルクの上限値を、前記モータジェネレータにて発生可能な回生トルクの最大値よりも小さい値に制限し、
前記コースト回生トルクの上限値の制限を開始した後、該コースト回生トルクの上限値が前記目標回生トルクの最大値に一致してから、該目標回生トルクに一致するまでの間に、前記エンジンクラッチに締結指令を出力する
ことを特徴とするハイブリッド車両の制御方法。
【請求項２】
（削除）
【請求項３】
請求項１に記載されたハイブリッド車両の制御方法において、
前記コースト回生トルクの上限値が制限されているとき、前記エンジンに対する燃料供給を禁止すると共に、燃料供給要求を許可しない
ことを特徴とするハイブリッド車両の制御方法。
【請求項４】
請求項１又は請求項３に記載されたハイブリッド車両の制御方法において、
前記エンジンクラッチに締結指令を出力するとき、前記エンジンへの入力回転数を所定の上限回転数以下にする
ことを特徴とするハイブリッド車両の制御方法。
【請求項５】
請求項１又は請求項３又は請求項４のいずれか一項に記載されたハイブリッド車両の制御方法において、
前記エンジンクラッチの締結中にドライバの停車意図を検出したとき、前記エンジンクラッチの解放を許可する
ことを特徴とするハイブリッド車両の制御方法。
【請求項６】
エンジンと、モータジェネレータと、前記エンジンと駆動輪の間に配置されたエンジンクラッチと、を備えたハイブリッド車両の制御装置において、
アクセル解放操作によるコースト走行時、前記エンジンクラッチを解放して前記エンジンを前記駆動輪から切り離すクラッチ制御部と、
前記コースト走行時、前記モータジェネレータで発生するコースト回生トルクを目標回生トルクに制御するコースト回生制御部と、
所定の回生制限条件が成立したとき、前記モータジェネレータのコースト回生トルクの上限値を、前記モータジェネレータにて発生可能な回生トルクの最大値よりも小さい値に制限する回生制限部と、を備え、
前記クラッチ制御部は、前記コースト回生トルクの上限値の制限を開始した後、該コースト回生トルクの上限値が前記目標回生トルクの最大値に一致してから、該目標回生トルクに一致するまでの間に、前記エンジンクラッチに締結指令を出力する
ことを特徴とするハイブリッド車両の制御装置。
【国際調査報告】
2018189891.tif 000013
2018189891.tif 000014
2018189891.tif 000015
2018189891.tif 000016